(57)【要約】【課題】柔軟な包装袋の袋口を簡単に開封でき、被包装物を該包装袋内に簡単確実に投入し得る物品投入装置を提供する。【解決手段】被包装物を投入するための誘導具２０と、包装袋を離脱可能に複数枚吊下する支持枠体１３と、包装袋の袋口近傍に貼着し袋口を開封する袋口開封手段３０とを備え、誘導具２０は先端部が先細で径方向へ伸縮自在で且つ柔軟性を有するホッパー２３からなり、例えば、所定長さの筒状網体を使用し、この筒状網体の一端を拡開してリング枠２１に固定する。【選択図】図１
2004231209.tif 000002
【特許請求の範囲】
【請求項１】
支柱等に固定され被包装物を包装袋内へ誘導する誘導具と、この誘導具の下方にあって柔軟な包装袋を離脱可能に複数枚吊下する支持枠体と、該包装袋の袋口近傍に貼着し袋口を開封する袋口開封手段とを備え、該誘導具は先端部が先細で径方向へ伸縮自在で且つ柔軟性を有するホッパーからなり、そのホッパー先端部を該袋口より若干下方に垂下させ、該袋口開封手段の操作により該袋口縁近傍を貼着し、この袋口縁を該ホッパー先端部に摺接移動させて該ホッパー先端部を袋口内へ挿入し、該ホッパーから被包装物を投入する際に、該被包装物で該ホッパー先端部を拡開させて包装袋内へ被包装物が投入されるようになしたことを特徴とする物品投入装置。
【請求項２】
前記誘導具は、径方向に伸縮自在で且つ柔軟性を有する筒状網体と、この筒状網体を固定し被包装物の投入可能な誘導口を有するリング枠とからなり、該筒状網体の一端を径方向に拡開して該リング枠に取付け、他端を先細に縮径したホッパーであることを特徴とする請求項１記載の物品投入装置。
【請求項３】
前記袋口開封手段の貼着には、着脱可能な粘着部材を用いたことを特徴とする請求項１記載の物品投入装置。
【請求項４】
前記粘着部材は、前記包装袋と平行な支軸を中心に回動可能な回転体に設けたことを特徴とする請求項３記載の物品投入装置。
【請求項５】
前記誘導具の上方に、長尺筒状部材を有する補助誘導機構を付設し、この補助誘導機構の操作により、該誘導具で該長尺筒状部材をガイドして包装袋内へ導入し、この長尺筒状部材を介して被包装物が包装袋へ投入されるようになしたことを特徴とする請求項１〜４記載の何れかの物品投入装置。
【請求項６】
前記補助誘導機構は、長尺被包装物を誘導する長尺案内部材と、被包装物の投入時に該長尺案内部材を該誘導具でガイドして包装袋内へ導入する移動手段とからなることを特徴とする請求項５記載の物品投入装置。
【請求項７】
前記請求項１〜６の何れかの物品投入装置の支持枠体に吊下される包装袋であって、この包装袋は、表面生地体とこの表面生地体より若干長い裏面生地体とを長手方向で重ね合わせ、重ね合わせた該表面及び該裏面生地体の両側部及び底部をそれぞれシールし、この底部と反対側の表面生地体の一端部を開放して開口部を形成した細長包装袋からなり、この開口部横の少なくとも表面生地体の両側に切込みを設けたことを特徴とする包装袋。
【発明の詳細な説明】
【０００１】
【発明の属する技術分野】
本発明は、包装しにくい長尺な野菜、例えばアスパラ、長ねぎ、ゴボウ或いは長芋などを柔軟な包装袋、例えばプラスチック製包装袋の中に簡単確実に投入し得る物品投入装置及びこの装置に好適な包装袋に関する。
【０００２】
【従来の技術】
スーパーマーケットなどで販売されている野菜類、例えばなす、きゅうり、アスパラ、長ねぎ、ゴボウ、長芋などは、透明なプラスチックフィルムで形成された包装袋に袋詰めされ、商品棚などに陳列されている。これらの野菜類の袋詰め作業は、生産者から集荷し、スーパーマーケットなどに納入されるまでの過程で行われ、殆ど手作業で行われている。これらの袋詰め作業のうち、特に長尺な野菜、例えばアスパラ、長ねぎ、ゴボウ或いは長芋等の袋詰めは、包装袋に長尺なプラスチック製のものが使用されることから、包装袋が柔軟且つ透明であるため袋口を探すのが面倒で開封しづらく、またこの袋口から長尺野菜を投入しても、長尺野菜が袋の途中に引っ掛かってしまい底部までスムーズに投入できず、これら長尺野菜の袋詰め作業には多大な労力と時間が費やされていた。
【０００３】
このような袋詰めの煩わしい作業を軽減するために、これまで多くの物品投入装置及び包装袋が提案されている。
物品投入装置としては、例えば傾斜させて配置したほぼ樋状の支持枠体内に物品を収納する多数枚の収納袋を重ねて配置し、その収納袋の挿入口を順次開放する開放操作機構を支持枠体内に設け、この開放操作機構を収納袋の挿入口内に進入して挿入口を開放する回動可能な開放プレートと、その開放プレートを回動させる回動操作レバーとで構成した物品投入装置が知られている。（例えば、特許文献１）。
また、包装袋の開口部に被包装物の導入を案内する案内筒を設け、被包装物の投入時に、案内筒の先端を萎めて包装袋の開口部に挿入し、挿入した後に案内筒の先端を拡開させるようにした物品投入装置（例えば、特許文献２）、更に、筒状に形成された可撓性のホッパーを昇降自在に備え、このホッパーを扁平状乃至開口状に変形自在とした物品投入装置も知られている。（例えば、特許文献３）。
更に、ゴボウ等の長尺な物を収納する包装袋としては、例えば被包装品を入れる開口部を有する包装袋の開口部上方位置に、包装袋を外部装置に支持させるための被支持部を形成し、包装袋を引っ張ることによって包装袋を支持体から引放すことができる引外し部が形成された包装袋が知られている。（例えば、特許文献４）。
【０００４】
【特許文献１】
特開平１１−１８９２１６号    （第２頁  図２）
【特許文献２】
実公平２−３４１６６号  （実用新案登録請求の範囲  図１）
【特許文献３】
特開２０００−１７７７１１号（第３頁左欄  図５）
【特許文献４】
特開平５−８５５５１号（第２右欄  図２）
【０００５】
【発明が解決しようとする課題】
しかし、前記特許文献１に記載された物品投入装置は、特殊構造の開放操作機構を必要とし、この開放操作機構によって、支持枠体内に収容配置した収納袋の挿入口を順次開放し、その開放した挿入口から収納袋内に物品を投入するもので、開放プレートを開封の度に収納袋内へ挿入しなければならないことから、開放プレートが収納袋の内壁に衝突し収納袋を破損する恐れがあり、また、物品を挿入口から収納袋内に押し込まなければならず、袋詰め作業を効率的に行うことは難しかった。
また、前記特許文献２、３に記載されたホッパーを使用した物品投入装置は、何れもそのホッパーは、その下端部を先細りにして収納袋の挿入口に挿入し、挿入した後にこの下端部を拡開するもので、そのためホッパーの下端部を特殊構造にすると共に拡開機構を必要とし、ホッパーの構造が複雑化し、更にホッパーを上下に移動させる移動機構を必要としていた。
更に、前記特許文献４に記載された包装袋は、袋体を手に持つことなく、一方の手で開口部を広く開けた状態で他方の手で被包装品を容易に袋詰めするものであるが、一方の手で開口部を開けた状態に維持しなければならないので、開口部の開封作業が面倒であった。
【０００６】
本発明は、この従来技術が抱えている課題を解消することに着目してなされたものである。
本発明の目的は、柔軟な袋口を極めて簡単に開封でき被包装物を柔軟な包装袋内に簡単確実に挿入し得る物品投入装置を提供することにある。
【０００７】
また本発明の目的は、柔軟な袋口を極めて簡単に開封でき長尺な被包装物を柔軟な包装袋内に簡単確実に投入し得る物品投入装置を提供することにある。
【０００８】
更に本発明は、前記物品投入装置に好適な包装袋を提供することにある。
【０００９】
【課題を解決するための手段】
上記目的は、以下の手段により達成できる。
【００１０】
本発明の物品投入装置は、支柱等に固定され被包装物を包装袋内へ誘導する誘導具と、この誘導具の下方にあって柔軟な包装袋を離脱可能に複数枚吊下する支持枠体と、該包装袋の袋口近傍に貼着し袋口を開封する袋口開封手段とを備え、該誘導具は先端部が先細で径方向へ伸縮自在で且つ柔軟性を有するホッパーからなり、そのホッパー先端部を該袋口より若干下方に垂下させ、該袋口開封手段の操作により該袋口縁近傍を貼着し、この袋口縁を該ホッパー先端部に摺接移動させて該ホッパー先端部を袋口内へ挿入し、該ホッパーから被包装物を投入する際に、該被包装物で該ホッパー先端部を拡開させ包装袋内へ被包装物が投入されるようになしたことを特徴とする。
そして、前記誘導具は、径方向に伸縮自在で且つ柔軟性を有する筒状網体と、この筒状網体を固定し被包装物の投入可能な誘導口を有するリング枠とからなり、該筒状網体の一端を径方向に拡開して該リング枠に取付け、他端を先細に縮径したホッパーであることが好ましい。また、前記袋口開封手段の貼着には、着脱可能な粘着部材を用い、この粘着部材は、前記包装袋と平行な支軸を中心に回動可能な回転体に設けることが好ましい。
【００１１】
上記の物品投入装置においては、先ず、ホッパー先端部を袋口より若干下方に垂下させ、袋口開封手段の操作により、粘着部材に柔軟な袋口縁近傍を貼着し引っ張る。すると、袋口縁が粘着部材に貼着されて引っ張られ、袋口縁部がホッパーの下端部に当接し、袋口縁及びホッパー下端部は共に柔軟性を有しているので、これらが共に所定の方向へ変形屈曲して、袋口縁がホッパー下端部を摺接しながら潜り抜ける。袋口縁がホッパーの下端部を潜り抜けると、ホッパー下端部は、自身の復元力により元の垂下状態に戻り、ホッパー下端部が包装袋の袋口内へ移動する。次いで、ホッパーから被包装物を投入すると、この被包装物がホッパー先端部を拡開させるので包装袋内へ被包装物が投入される。
この装置によると、薄く且つ柔軟な袋口を簡単に開封できると共に、構造複雑なホッパーを使用することなく、長尺被包装物を簡単に包装袋へ投入することが可能になる。
【００１２】
また、誘導具は、所定長さの筒状網体を使用し、この筒状網体の一端を拡開してリング枠に固定するだけでホッパーが形成できるので、ホッパーの構造が極めて簡単で、しかも特殊な部材を使用することなく、市販の製品を加工するだけで製作できる。
更に、袋口開封手段の貼着には、着脱可能な粘着部材を用い、この粘着部材を包装袋と平行な支軸を中心に回動可能な回転体に設ける。すると、薄く且つ柔軟な袋口に着脱自在に貼着するので、袋口の開封及び包装袋の離脱が簡単になる。また、回転体の回動により粘着部材の貼着する場所が移動し、同じ箇所での貼着が少なくなるので、粘着部材を長持ちさせることが可能となる。また包装袋を引っ張ると粘着部材が回転するので、包装袋口の離脱が容易になる。
したがって、この物品投入装置によると、ホッパーが比較的短く簡単な構造のものでも、長尺被包装物でも比較的短いものでも簡単確実に包装袋へ投入できる。
【００１３】
また、本発明の物品投入装置は、前記誘導具の上方に、長尺筒状部材を有する補助誘導機構を付設し、この補助誘導機構の操作により、該誘導具で該長尺筒状部材をガイドして包装袋内へ導入し、この長尺筒状部材から被包装物を包装袋へ投入するようになしたことを特徴とする。
そして前記補助誘導機構は、長尺被包装物を誘導する長尺案内部材と、被包装物の投入時に該長尺案内部材を該誘導具でガイドして包装袋内へ導入する移動手段とで構成し、また前記長尺案内部材は、その先端部が前記誘導具のホッパー入口に挿入して置くことが好ましい。
前記の補助誘導機構を持たない物品投入装置は、ホッパーが比較的短いので、長尺な被包装物でも比較的短いものを包装袋へ投入するのに適している。しかし、これより長尺のものになると、ホッパーが短いため不安定になり、長尺被包装物が倒れるので投入が難しく、また、ホッパーの先端が包装袋内に入り込む長さが短いので、長尺な被包装物をスムーズに袋内へ誘導できない恐れがある。
このような場合、この補助誘導機構を付設した物品投入装置を用い、ホッパーに長尺案内部材を継ぎ足して、この長尺案内部材で長尺被包装物を誘導して包装袋内へ投入する。この際、長尺案内部材をホッパーの入口の配置しているので、案内部材の導入がスムーズになる。
【００１４】
更に、本発明の包装袋は、表面生地体とこの表面生地体より若干長い裏面生地体とを長手方向で重ね合わせ、重ね合わせた該表面及び該裏面生地体の両側部及び底部をそれぞれシールし、この底部と反対側の表面生地体の一端部を開放して開口部を形成した細長包装袋からなり、この開口部横の少なくとも表面生地体の両側に切込みを設けたことを特徴とする。
この包装袋は、両側端に切込みが設けられているので、切込みを入れない包装袋より表面生地体が裏面生地体より容易に接離でき袋口の開封が容易になる。この包装袋は、前記の物品投入装置に好適であるが、他の用途にも転用できる。
【００１５】
【発明の実施の形態】
本発明の実施の形態を図面を参照して説明する。なお、本発明は、図面に記載された形態に限定されることなく、特許請求の範囲に記載された発明の範囲で種々の変更が可能であり、それらも本発明の範囲に包含されることは言うまでもない。
図１は、本発明の包装袋への物品投入装置の第１の実施形態を示す外観斜視図、図２は図１の物品投入装置の正面図、図３は図１の物品投入装置の側面図、図４は図１の筒状網体を示す外観斜視図である。
物品投入装置１０は、袋詰め作業場の床面や作業台などの上に載置可能な基台１１（図２参照）と、この基台に立設された支柱１２と、被包装物を包装袋内へ誘導する誘導具２０と、この誘導具２０及び柔軟性を有する包装袋４０を多数枚吊下する支持バー１４を固定する細長板状の支持枠体１３と、柔軟な包装袋の袋口縁に貼着し袋口を開口する袋口開封手段３０とからなる。
【００１６】
支柱１２の上方には、支持枠体１３を垂直方向に縦長になるようにその裏面を固定し、支柱１２の下方には湾曲状アームを支持する支持体３２を固定する。支持枠体１３の表面には、その上方に被包装物を包装袋へ誘導する誘導具２０を、その下方に複数枚の柔軟な包装袋を垂下状態で吊下する２本の支持バー１４をそれぞれ固定する。
誘導具２０は、物品を投入できる大きさの誘導口を有する円環状のリング枠２１と、このリング枠の一部に固定された基部２２とからなり、基部２２を支持枠体１３に取付ける。円環状のリング枠２１には、所定の長さを有するホッパー２３を取付ける。このホッパー２３は、リング枠２１に取付ける前は、図４に示すように所定の長さ及び径を有する細長な筒状網体２３’であって、その内周面が当接していてもよい。この筒状網体２３’には、所定の目数、折巾を有するネット、例えば「ネトロン」（商標名）を使用する。目数は、周囲の網目数を言い、折巾は、最大の拡開長さ、すなわち折巾内での拡開であれば復元力により原状に戻る長さを言う。
【００１７】
このような筒状網体２３’を用い、その一端２３ａを外方向へ拡開し、この拡開した円形状の端部縁を適宜の固着手段、例えば糸、細金等によりリング枠２１の周囲に固定する。すると、この筒状網体２３’は、図１に示すようにリング枠２１の固定部分から下端部２３ｂに向けて徐々に先細な漏斗状をなして垂下される。垂下したホッパーの下端部２３ｂは、支持枠体１３に垂下される包装袋４０の袋口４３より若干下方に垂下するように位置調整する。この位置調整は、ホッパー２３の長さ又は包装袋を垂下する支持バー１４の取付け位置等を変更して行うが、垂下の長さＬ（図２、３参照）、すなわち袋口４３からホッパー下端部２３ｂ間までの長さは、概ね５ｃｍ前後に設定する。この長さＬは、筒状網体２３’の弾性力或いは包装袋４０の種類にもよっても異なり、これらの特性及び種類に応じて適宜の長さに選定する。
なお、ホッパーを筒状網体で形成したが、これに限定されず、先端部が先細で径方向へ伸縮自在で且つ柔軟性を有するものであれば、その構成又は材料は任意のもの、例えば合成樹脂又は布等で形成したものを使用できる。
【００１８】
また、袋口開封手段３０は、ほぼ中央部が円弧状に屈曲し弾性を有するバネ体３１と、このバネ体の基端３１ａに取付けた支持体３２と、先端部３１ｂに設けた貼着手段３３とからなる。バネ体３１は、金属或いは合成樹脂材で作られる。また貼着手段３３は、包装袋の表面生地に着脱自在に貼着して袋口を開封するものである。
この貼着手段３３は、バネ体３１の先端部３１ｂに固定されたロール支持体３４と、この支持体３４に回動可能に軸支し回転体（ロール）３５と、このロール３５の外周に巻き付けた粘着部材３６と、この粘着部材３６が露出した面と反対方向でロール支持体３４に取付けた把手３７からなる。
粘着部材３６には、包装袋の表面生地に貼着し、簡単に剥離できる接着材、例えばＰＶＡ（ポリビニルアルコール）を使用する。ＰＶＡを使用すると、長時間使用により粘着力が徐々に低下するが、水洗いすることにより粘着力を回復させることができる。
【００１９】
図６は、この物品投入装置に好適な包装袋の正面図であって、図（ａ）、図（ｂ）はそれぞれ異なるタイプの包装袋を示している。
包装袋４０は、長尺野菜を詰めることができるように、所定の横幅と、この横幅に比べて縦長が若干長い細長封筒状の包装袋からなり、例えばポリエチレンフィルム、ポリプロピレンフィルム、ナイロンフィルム、ポリエステルフィルム等の合成樹脂フィルムを素材として、細長い表面生地体４１と、この表面生地体４１の裏面側に配置され、同表面生地体と同一幅で、若干長い裏面生地体４２とで形成する。
表面生地体４１、裏面生地体４２は、同一素材でも、或いは異なる素材でもよく、また、透明、半透明乃至不透明材料でもよく、更にこの素材は、上記の合成樹脂フィルムに限定されることなく、紙類を使用してもよい。
【００２０】
この包装袋４０は、表面生地体４１と裏面生地体４２とを重ね合わせた状態で両生地体４１、４２の両側部及び底部が熱シールや接着剤等により閉着し、表面生地体４１は底部と反対の一端部４１ａで開放し、この部分に開口部（袋口）４３を設けた細長封筒状に形成する。
また、裏面生地体４２は、上端が所定長さのところで折返して裏面生地体４２の端部側上面に接合し、この折返し面に支持バー１４へ挿入し、包装袋４０を吊下する複数の開孔４４を形成する。また各開孔４４には、折返し端に向けてミシン目４５を設け、包装袋４０を支持枠体１３の支持バー１４（図１参照）に吊下し、この状態から包装袋４０を引っ張った際に、包装袋４０はこのミシン目４５から破断され、包装袋４０の引離しを容易にする。
【００２１】
図６（ｂ）に示した包装袋４０’は、上記包装袋４０の袋口４３の両端部、すなわち表面生地体４１’と裏面生地体４２’とを重合した両側に、所定大きさの切込み４６’を形成したものである。したがって、その他の構成、材料等は同じであるので、同一構成の部分には同一符号を用いこの符号にダッシュを付してその説明を省略する。
この切込み４６’は、表面生地体４１’及び裏面生地体４２’のうち、表面生地体４１’に形成する。勿論、両生地体に設けてもよい。この切込み形状は、任意の形状、例えば、円弧状、半円形状、三日月形状、角型形状でもよく、単に両側端面を溶着しない状態のものでもよい。これらの形状は、包装袋を構成する材料、厚み等を考慮して任意のものが選択される。
この切込み４６’を設けることにより、袋口４３’の開口時に表面生地体４１’が裏面生地体４２’より切り込みを設けた分だけ容易に剥がし易くなるので、前記長さＬの調整がより簡単になる。
【００２２】
次に、物品投入装置１０及び包装袋４０を使用し、包装袋への被包装物の袋詰めを説明する。図３は図１の物品投入装置の側面図、図５は図３側面図をもとに包装袋へ長尺野菜等の袋詰め作業を説明する説明図である。
図３に示すように、支持枠体２３の支持バー１４に複数枚の包装袋４０を筒状網体の下端部２３ｂがその袋口４３より下方へ長さＬまで延びるように吊下する。
この包装袋の吊下状態において、図５（ａ）に示すように袋口開封手段３０の把手３７に手指を入れバネ体３１を矢印Ａに示す時計回りに回動して、支持枠体１２に吊下されている一枚目の包装袋４０の表面生地体４１に（図６（ａ）参照）貼着手段３３を押し当て、粘着部材３６を表面生地体４１の上縁部４１ａに貼着させる。
【００２３】
次いで、図５（ｂ）に示すように貼着手段３３を表面生地体４１の上縁部４１ａに貼着させたまま把手３７をバネ体３１の弾性に抗して矢印Ｂに示す反時計方向へ回動させる。すると、表面生地体４１の上縁部４１ａが粘着部材３６に貼着されて引張られ、上縁部４１ａがホッパー２３の下端部２３ｂに当接し、上縁部４１ａ及び下端部２３ｂは、共に柔軟性を有しているので、これらが共に反時計方向へ変形屈曲して上縁部４１ａが下端部２３ａを摺接しながら潜り抜ける。表面生地体４１の上縁部４１ａがホッパーの下端部２３ｂを潜り抜けると、図５（ｃ、ｄ）に示すように、ホッパーの下端部２３ｂは、自身の復元力により元の垂下状態に戻り、ホッパーの下端部２３ｂが包装袋４１の袋口４３内へ移動される。
【００２４】
ホッパー２３の下端部２３ｂが包装袋４１の袋口４３へ挿入された後に、複数本のアスパラ４６をほぼ同時にリング２０の誘導口へ投入する。すると、アスパラ４６はホッパー２３の内周面に沿ってほぼ自重により落下し、下端部２３ｂを押し拡げ包装袋４０内へ投下される。
次いで、包装袋４０を下方へ引っ張る。すると、表面生地体４１の上縁部４１ａが粘着部材３６から接離するとともに、ミシン目４５（図６（ａ）参照）から破断され、支持バー１４から包装袋４０が引離される。
この物品投入装置１０では、包装袋に図６（ａ）に示す包装袋４０を使用したが、別タイプの包装袋４０’を使用することもできる。この包装袋４０’は、両側端に切込みが設けられているので、切込みを入れない包装袋４０より表面生地体４１’が裏面生地体４２’より容易に接離でき袋口４３’の開封が容易になる。
【００２５】
この物品投入装置１０は、ホッパー２３が比較的短いので、長尺野菜でも比較的短いもの、例えばアスパラ等を包装袋へ投入するのに適している。しかし、これより長尺のもの、例えば長ネギ、ゴボウ、或いは長芋になると、ホッパー２３が短いため不安定になり、長尺野菜が倒れ投入するのが難しく、また、ホッパーの先端が包装袋内に入り込む長さが短いので、長尺野菜をスムーズに袋内へ誘導できない恐れがある。
【００２６】
このような長尺野菜の包装袋への投入に最適な物品投入装置を以下に説明する。図７は本発明の物品投入装置の第２の実施形態を示す斜視図である。
この物品投入装置５０は、前記物品投入装置１０に誘導補助機構６０を付設したものである。したがって、説明を簡略化するために、前記物品投入装置１０と共通する部分の説明は省略し異なる構成について説明する。
誘導補助機構６０は、ほぼ円錐筒状をなした長尺案内部材７０と、この案内部材を垂直方向に上下動させる移動機構８０とからなる。
長尺案内部材７０は、合成樹脂等で形成され、長尺包装袋４０のほぼ半分乃至それ以上の長さと、外周がリング枠２０の内径より若干短く、リング枠２０内をスムーズに通り抜け可能な径を有し、所定長さの筒状体７１と、この筒状体７１から下方へ延びた円錐体７２とからなる。
円錐体７２は、筒状体７１の長さに比べて３倍乃至それ以上長く下方へ延び、円推面に複数の切込みを入れ複数のガイド片７２ａ〜７２ｘを形成する。これらのガイド片７２ａ〜７２ｘは、その先端部は自由端となっている。
【００２７】
また、移動機構８０は、下端の表面８１ａを筒状体７１の外壁に固定し裏面にギヤ歯８１ｂを設けた移動片８１と、このギヤ歯８１ｂと契合するギヤ歯８２ａを有し支持体８３により支持枠体１３に取付けた歯車８２と、移動片８１を袋口開封手段３０と連動して上下方向へ移動させる移動手段（図示省略）とからなる。
なお、移動手段は、移動片８１を袋口開封手段３０と連動して上下動させるものであるが、この公知の手段を使用するので、その説明を省略する。
前記のように誘導補助機構６０を長尺案内部材７０と移動機構８０とで構成し、移動機構８０を操作し、長尺案内部材７０のガイド片７２ａ〜７２ｘの先端部は、自由端となっているので予め纏めてリング枠２０内に挿入して置く。
【００２８】
この物品投入装置５０を用い、長尺被包装物を包装袋へ袋詰めする手順を説明する。図８は図７の物品投入装置の側面図、図９は図８の側面図をもとに長尺被包装物を包装袋へ袋詰する工程を示す説明図である。
先ず、支持枠体１３の支持バー１４に複数枚の包装袋４０を吊下し、袋口開封手段３０により、袋口４３を開封し、ホッパー２３の下端部２３ｂを袋口４３内に挿入させる。この操作は、前記物品投入装置１０における開封・挿入操作（図５（ａ）〜（ｃ））と同じであるので、詳細説明は省略する。図８、図９（ａ）は、図５（ａ）〜（ｃ））と同様にホッパー２３の下端部２３ｂが袋口４３内に挿入された状態を示している。
ホッパー２３の下端部２３ｂが袋口４３内に挿入された後に、図９（ｂ）（ｃ）に示すように、移動機構８０を操作し、長尺案内部材７０を降下させ、各ガイド片７２ａ〜７２ｘの先端部でホッパー２３の先端部２３ｂを拡開させて、長尺案内部材７０を包装袋４０内へほぼ半分近くまで挿入する。このとき、各ガイド片７２ａ〜７２ｘの先端部は、自由端となっているが、各ガイド片７２ａ〜７２ｘの先端部が予めホッパー２３内に挿入されているので、これらのガイド片はホッパー２３にガイドされて包装袋４０内へスムーズに挿入される。
次いで、長尺被包装物９０、例えば長ネギを長尺案内部材７０内へ投入する。すると、長ネギは、長尺案内部材７０の各ガイド片７２ａ〜７２ｘを押し拡げ包装袋４０内へ投入される。続いて、包装袋４０を下方へ引っ張って支持バー１４から包装袋４０を引離す。（図９（ｅ）、（ｆ））。
この長尺案内部材７０及び長尺野菜９０の投入の際、投入が進むに従い袋４０内に空気が封じ込まれこれらの投入の障害となるが、各ガイド片７２ａ〜７２ｘの間にスリット（隙間）が形成されているので、袋内に溜まった空気はこの隙間から袋口を通り外へ放出され投入がスムーズになる。
包装袋は、別タイプの包装袋４０’をも使用することができる。
【００２９】
【発明の効果】
以上説明したように、本発明の物品投入装置によると、薄く且つ柔軟な袋口を簡単に開封できると共に、構造複雑なホッパーを使用することなく、長尺被包装物を簡単に包装袋へ投入することができる。
また、補助誘導機構を付設した物品投入装置によると、更に長尺な被包装物を簡単に包装袋へ投入することができる。
更に、包装袋は、その袋口を簡単に開封でき、上記物品投入装置に使用することにより、開封作業を効率的に行うことができる。
【図面の簡単な説明】
【図１】本発明の物品投入装置の第１の実施形態を示す外観斜視図。
【図２】図１の物品投入装置の正面図。
【図３】図１の物品投入装置の側面図。
【図４】図１の筒状網体を示す外観斜視図。
【図５】図３側面図をもとに包装袋へ長尺被包装物の袋詰め作業を説明する説明図。
【図６】物品投入装置に好適な包装袋の正面図。
【図７】本発明の物品投入装置の第２の実施形態を示す斜視図。
【図８】図８は図７の物品投入装置の側面図。
【図９】図８の側面図をもとに長尺被包装物を包装袋へ袋詰め作業を説明する説明図。
【符号の説明】
１０、５０  物品投入装置
１１  基台
１２  支柱
１３  支持枠体
１４  支持バー
２０  誘導具
２１  リング枠
２２  基部
２３  ホッパー
２３’  筒状網体
２３ｂ  ホッパー先端部
３０  袋口開封手段
３３  貼着手段
３４  ロール支柱体
４０、４０’  包装袋
４３、４３’袋口
【図１】
2004231209.tif 000003
【図２】
2004231209.tif 000004
【図３】
2004231209.tif 000005
【図４】
2004231209.tif 000006
【図５】
2004231209.tif 000007
【図６】
2004231209.tif 000008
【図７】
2004231209.tif 000009
【図８】
2004231209.tif 000010
【図９】
2004231209.tif 000011